(57)【要約】【課題】  この発明は、録画された番組を視聴するモニタの形状を考慮して映像信号を出力する映像信号出力装置を提供することを目的としている。【解決手段】  受信する放送の録画予約が設定される録画予約設定手段（３６ｂ）と、設定された録画予約に基づいて放送を受信して第１の映像信号を出力する方送受信手段（２７）と、録画予約された放送に係る映像信号の出力形式が設定される映像信号出力形式設定手段（３３）と、出力された第１の映像信号を受信し、設定された出力形式に応じ、第２の映像信号を出力する映像信号出力手段（４５）とを備えるようにしている。【選択図】    図５
2006140760.tif 000002
【特許請求の範囲】
【請求項１】
放送を受信して映像信号を出力する映像信号出力装置において、
受信する放送の録画予約が設定される録画予約設定手段と、
前記設定された録画予約に基づいて放送を受信して第１の映像信号を出力する方送受信
手段と、
前記録画予約された放送に係る映像信号の出力形式が設定される映像信号出力形式設定
手段と、
前記出力された第１の映像信号を受信し、前記設定された出力形式に応じ、第２の映像
信号を出力する映像信号出力手段と、を備えることを特徴とする映像信号出力装置。
【請求項２】
放送を受信して映像信号を出力する映像信号出力装置において、
受信する放送の録画予約が設定される録画予約設定手段と、
前記設定された録画予約に基づいて放送を受信して第１の映像信号を出力する方送受信
手段と、
前記録画予約された放送に係る映像信号の出力形式が複数の選択肢の中から設定される
映像信号出力形式設定手段と、
前記出力された第１の映像信号を受信し、前記設定された出力形式に応じ、第２の映像
信号を出力する映像信号出力手段と、を備えることを特徴とする映像信号出力装置。
【請求項３】
放送を受信して映像信号を出力する映像信号出力装置において、
受信する放送の録画予約が設定される録画予約設定手段と、
前記設定された録画予約に基づいて放送を受信して第１の映像信号を出力する方送受信
手段と、
前記録画予約された放送に係る映像信号の出力形式が設定される映像信号出力形式設定
手段と、
前記出力された第１の映像信号を受信し、前記設定された出力形式に応じ、第２の映像
信号を出力する映像信号出力手段と、
前記出力された第２の映像信号を記憶する記憶手段と、を備えることを特徴とする映像
信号出力装置。
【請求項４】
放送を受信して映像信号を出力する映像信号出力装置において、
受信する放送の録画予約が設定される録画予約設定手段と、
前記設定された録画予約に基づいて放送を受信して第１の映像信号を出力する方送受信
手段と、
前記録画予約された放送に係る映像信号の出力形式が複数の選択肢の中から設定される
映像信号出力形式設定手段と、
前記出力された第１の映像信号を受信し、前記設定された出力形式に応じ、第２の映像
信号を出力する映像信号出力手段と、
前記出力された第２の映像信号を記憶する記憶手段と、を備えることを特徴とする映像
信号出力装置。
【請求項５】
前記映像信号の出力形式は映像信号を表示するモニタの形状に応じた出力形式であること
を特徴とする請求項１乃至４に記載の映像信号出力装置。
【請求項６】
前記映像信号を表示するモニタの形状は１６：９または４：３の画角を含むことを特徴と
する請求項５に記載の映像信号出力装置。
【請求項７】
放送を受信して映像信号を出力する映像信号出力方法において、
受信する放送の録画予約が設定されるステップと、
前記設定された録画予約に基づいて放送を受信して第１の映像信号を出力するステップ
と、
前記録画予約された放送に係る映像信号の出力形式が設定されるステップと、
前記出力された第１の映像信号を受信し、前記設定された出力形式に応じ、第２の映像
信号を出力するステップと、を備えることを特徴とする映像信号出力方法。
【請求項８】
放送を受信して映像信号を出力する映像信号出力方法において、
受信する放送の録画予約が設定されるステップと、
前記設定された録画予約に基づいて放送を受信して第１の映像信号を出力するステップ
と、
前記録画予約された放送に係る映像信号の出力形式が複数の選択肢の中から設定される
ステップと、
前記出力された第１の映像信号を受信し、前記設定された出力形式に応じ、第２の映像
信号を出力するステップと、を備えることを特徴とする映像信号出力方法。
【請求項９】
放送を受信して映像信号を出力する映像信号出力方法において、
受信する放送の録画予約が設定されるステップと、
前記設定された録画予約に基づいて放送を受信して第１の映像信号を出力するステップ
と、
前記録画予約された放送に係る映像信号の出力形式が設定されるステップと、
前記出力された第１の映像信号を受信し、前記設定された出力形式に応じ、第２の映像
信号を出力するステップと、
前記出力された第２の映像信号を記憶するステップと、を備えることを特徴とする映像
信号出力方法。
【請求項１０】
放送を受信して映像信号を出力する映像信号出力方法において、
受信する放送の録画予約が設定されるステップと、
前記設定された録画予約に基づいて放送を受信して第１の映像信号を出力するステップ
と、
前記録画予約された放送に係る映像信号の出力形式が複数の選択肢の中から設定される
ステップと、
前記出力された第１の映像信号を受信し、前記設定された出力形式に応じ、第２の映像
信号を出力するステップと、
前記出力された第２の映像信号を記憶するステップと、を備えることを特徴とする映像
信号出力方法。
【発明の詳細な説明】
【技術分野】
【０００１】
この発明は、放送を受信して映像信号を記録機器に向けて出力する映像信号出力装置に
関する。
【背景技術】
【０００２】
近年、テレビジョン放送のデジタル化が推進されている。例えば、日本国内においては
、ＢＳ（Broadcasting Satellite）デジタル放送及び１１０度ＣＳ（Communication Sate
llite）デジタル放送等の衛星デジタル放送だけでなく、地上デジタル放送も開始されて
いる。
【０００３】
そして、このようなデジタルテレビジョン放送を受信するデジタル放送受信装置にあっ
ては、例えばＶＴＲ（Video Tape Recorder）やＨＤＤ（Hard Disk Drive）のような記録
機器を接続することにより、受信した放送（番組）をすることが可能となっている。
【０００４】
デジタル放送においては、映像信号の画角にさまざまな形態があり、視聴者の視聴形態
、つまりテレビの形状（例えば１６：９や４：３等）に応じて、正しい画角となるように
、映像信号の出力方法が例えば、ＡＲＩＢ規格のＳＴＤ−Ｂ２１において規定されている
。
【０００５】
上記ＡＲＩＢの規定においては、視聴する形態が１６：９モニタか４：３モニタかのい
ずれか1つでの視聴形態を想定している。しかし、録画された番組においては、録画に用
いられる媒体がＶＨＳテープやＤＶＤディスク等のリムーバルな媒体であり、必ずしも同
一形態のテレビで視聴されるとは限らない。
【０００６】
一般的に、デジタル放送受信機能を有したテレビ受信機は１６：９モニタである。しかし
、録画した番組を他の部屋の４：３モニタで視聴することも想定される。この場合は、録
画された番組を正しい画角で視聴することができず、良好な視聴を妨げるという問題があ
る。
【０００７】
特許文献１には、ＥＤＴＶ信号を主信号とし、それ以外のＮＴＳＣ信号を非主信号とし
て、被制御期間は全てＥＤＴＶ信号として処理する技術が開示されている。特許文献２に
は、ワイドＴＶにおいて、アスペクト比４：３であるが上下に黒帯を調整する機能が開示
されている。しかしながら、上記特許文献は録画された番組を、視聴するモニタの形状を
考慮して出力することは開示されていない。
【特許文献１】特許第3147726号公報
【特許文献２】特開2001-148818号公報
【発明の開示】
【発明が解決しようとする課題】
【０００８】
そこで、この発明は上記事情を考慮してなされたもので、録画された番組を、ユーザが
視聴するモニタの形状を考慮して出力することを目的とする。
【課題を解決するための手段】
【０００９】
この発明に係る映像信号出力装置は、受信する放送の録画予約が設定される録画予約設
定手段と、前記設定された録画予約に基づいて放送を受信して第１の映像信号を出力する
放送受信手段と、前記録画予約された放送に係る映像信号の出力形式が設定される映像信
号出力形式設定手段と、前記出力された第１の映像信号を受信し、前記設定された出力形
式に応じ、第２の映像信号を出力する映像信号出力手段と、を備えるように構成したもの
である。
【００１０】
また、この発明に係る映像信号出力方法は、受信する放送の録画予約が設定されるステ
ップと、前記設定された録画予約に基づいて放送を受信して第１の映像信号を出力するス
テップと、前記録画予約された放送に係る映像信号の出力形式が設定されるステップと、
前記出力された第１の映像信号を受信し、前記設定された出力形式に応じ、第２の映像信
号を出力するステップと、を備えるように構成したものである。
【発明の効果】
【００１１】
この発明によれば、録画された番組を視聴するモニタの形状を考慮して映像信号を出力
することが可能となる。このため、ユーザの番組視聴を良好に行うことが可能となる。
【発明を実施するための最良の形態】
【００１２】
以下、この発明の実施の形態について図面を参照して詳細に説明する。
【００１３】
図１はこの発明の実施の形態に係る、デジタル放送受信システムの概略構成を示すブロ
ック図である。ここではデジタル放送受信機を内蔵するテレビを例にとって説明する。尚
、この受信システムにおいては、地上デジタル放送とＢＳデジタル放送の両方が受信でき
るが、ＢＳ受信を例にとっている。
【００１４】
符号１１ｂはアンテナ、符号１２はテレビ受像機、符号１４はビデオ録画記録機である。
ビデオ録画記録機１４はＤＶＤやＶＴＲ等の記録装置である。アンテナ１１ｂは、放送衛
星から伝送されるデジタルテレビ信号を受信する。このデジタル信号には、放送番組とし
ての映像信号及び音声信号が含まれている。また、放送番組と関連した番組情報が重畳さ
れている。
【００１５】
この番組情報は、放送番組に関する情報である。番組情報には、放送番組のチャンネル番
号並びにチャンネルの名称を示すチャンネル識別情報、個々の放送番組を特定するための
番組識別番号（event id）情報、番組タイトルを示す番組タイトル情報、放送番組の日を
示す放送番組日時情報、放送番組開始時刻を示す放送番組開始時刻情報、放送番組の放送
時間の長さを示すレングス情報、および個々の放送番組における番組カテゴリー情報など
が含まれている。そして、この番組情報に基づいて、後述するＥＰＧ画面が作成（表示）
される。
【００１６】
テレビ受信機１２は、デジタル信号再生機能を有するテレビ受像機である。再生処理され
た信号は自身の表示装置（モニター）に表示する以外に、アナログ信号に変換された映像
・音声信号を録画用出力端子４８ａ、４８ｂに出力し、この端子に接続されたビデオ録画
記録機１４を用いて録画記録する。
【００１７】
テレビ受信機１２は、アンテナ１１ｂに接続されたチューナ２１ｂと、チューナ２１ｂ
に接続された８ＰＳＫ復調器２２ｂと、８ＰＳＫ復調器２２ｂに接続されたエラー訂正器
２３と、エラー訂正器２３に接続されたデスクランブラ２４と、デスクランブラ２４に接
続されたパケット分離器２５と、パケット分離器２５に接続されたパケット分離メモリ２
６とＭＰＥＧデコーダ２７と、ＭＰＥＧデコーダ２７に接続されたＭＰＥＧメモリ２８と
ビデオ信号デジタル／アナログ変換器（以下、ビデオＤ／Ａという）２９及びオーディオ
信号デジタル／アナログ変換器（以下、オーディアＤ／Ａという）３０と、前記ビデオＤ
／Ａ２９に接続された映像処理プロセッサ４９と、映像処理プロセッサ４９で処理された
信号を表示するモニタ１３と、スピーカ４７で音声再生を行うためのオーディオＡＭＰ４
６と、前記ＭＰＥＧデコーダ２７に接続された表示制御器３１とＮＴＳＣエンコーダ４５
と、前記チューナ２１ｂ（または２２ｂ）、８ＰＳＫ復調器２２ｂ（ＯＦＤＭ復調器２２
ａ）、エラー訂正器２３、デスクランブラ２４、パケット分離器２５、ＭＰＥＧデコーダ
２７、表示制御器３１及び、画角変換器４３に接続したバス回線３２と、前記バス回線３
２に接続されたＣＰＵ３３、プログラムメモリ３４、ワークメモリ３５、データメモリ３
６a、漢字ＲＯＭ３７、入出力制御３８、ＩＣカード制御３９、及びモデム４０と、前記
入出力制御３８に接続したリモートコントロール・表示パネル（以下、リモコン・表示パ
ネルという）４１と前記モデム４０に接続された電話回線４２とから成る制御マイコン部
分とで構成されている。
【００１８】
アンテナ１１ｂで受信され中間周波数に変換されたデジタルテレビ信号は、前記チュー
ナ２１ｂに供給され、視聴者の好みのチャンネルが選局され、Ｉ／Ｑ（In phase／Quadra
ture phase）信号に復調される。
【００１９】
Ｉ／Ｑ信号は、８ＰＳＫ復調器２２ｂでデジタルデータに復調され、エラー訂正器２３
に供給される。このエラー訂正器２３は、デジタルデータのエラー検出及びエラー訂正を
行うと共に、復調されたデジタルデータをトランスポートストリームデータとしてデスク
ランブラ２４に供給する。デスクランブラ２４は、伝送された信号が暗号化されている場
合に、伝送された信号の暗号解読を行い元の信号に復元しパケット分離器２５に供給する
。
【００２０】
パケット分離器２５は、パケット分離メモリ２６に記憶されているパケット分離手順に
従い、トランスポートストリームデータから伝送されてきた番組の映像データ、音声デー
タ、及び番組に付随する各種番組情報データをパケット毎に分離する。ここで各種番組情
報データとは、放送される番組名や放送時間等が記述されており、この情報を利用するこ
とによりＥＰＧ画面などを表示させることができる。
【００２１】
パケット分離器２５で分離された各パケットデータは、ＭＰＥＧデコーダ２７に供給さ
れる。このＭＰＥＧデコーダ２７は、前記ＭＰＥＧメモリ２８に記憶されている手順に従
い、パケットデータを復号処理する。ＭＰＥＧデコーダ２７で復号された映像信号はビデ
オＤ／Ａ２９でデジタル信号からアナログ信号に変換され、同様にＭＰＥＧデコーダ２７
で復号された音声信号はオーディオＤ／Ａ３０でデジタル信号からアナログ信号に変換さ
れて、映像信号は映像処理プロセッサ４９にて表示装置に適した信号に処理されモニタ１
３に表示され、音声信号はオーディオＡＭＰを介してスピーカ４７を駆動する。また、Ｍ
ＰＥＧデコーダ２７で復号された映像信号は、表示制御器３１の表示制御により、視聴者
が要求した表示形式に応じてＮＴＳＣエンコーダに出力され、アナログ録画用出力端子４
８ａより出力される。
【００２２】
制御マイコン部分は、ＣＰＵ３３に搭載されたリアルタイムＯＳとプログラムメモリ３
４に記憶されている処理手順に従い、バス回線３２を介して、デジタル信号再生部分を効
率よく処理し、かつ、視聴者の要求するＥＰＧ画面や番組の映像表示を行うものである。
この制御マイコン部分のワークメモリ３５は、アナログテレビ受像機１３の画面に表示す
る映像の表示形態毎の、表示形式の生成手順を記憶している。
【００２３】
データメモリ３６ａは、ワークメモリ３５の表示形態に応じたデータを記憶するメモリ
で、漢字ＲＯＭ３７は、デジタルテレビ信号に含まれる番組情報からテレビ画面に表示す
る文字・数字等を生成する文字データを記憶している。
【００２４】
入出力制御３８は、リモコン・表示パネル４１に設けられた赤外線信号受光部４１ａを
介して入力される赤外線信号に前記マイコン制御部分を取り込む。また、テレビ受信機１
２に設けられた動作表示ＬＥＤを制御する機能を有している。さらに入出力制御３８は、
アンテナ１１ｂで受信し、ＩＣカード制御３９によりＩＣカード３９ａに記憶されている
視聴者番号や暗号解読キー等を読み取り、伝送信号中の暗号解読許可条件との照合を行う
と共に、前記デスクランブラ２４に暗号解読キーを供給する。
【００２５】
モデム４０は、有料放送を受信する際、放送番組供給者に対して、課金情報を伝送する
。また、双方向データ放送サービスにおける双方向性の手段として電話回線４２に接続さ
れている。
【００２６】
図２はこの発明の実施の形態に係るデジタル放送受信システムの動作を説明するフロー
チャートである。
【００２７】
ここでは、上記図１の構成におけるに録画予約実行時の録画用出力端子からの映像信号
出力方法手順について説明する。
【００２８】
ステップＳＴ０はここでの開始ステップである。続いて符号ＳＴ１を付したステップへ
進む。
【００２９】
ステップＳＴ１は、視聴者が録画予約したい番組が、テレビ受信機の機能として有して
いるＥＰＧ等で選択されるステップである。続いて符号ＳＴ２を付したステップへ進む。
【００３０】
ステップＳＴ２は、テレビ受信機は視聴者が選択した番組の番組情報に基づき録画予約
設定画面を表示するステップである。続いて符号ＳＴ３を付したステップへ進む。
【００３１】
ステップＳＴ３は、録画した番組を視聴するテレビ形状（１６：９／４：３）を設定す
るステップである。上記録画予約設定画面には選択した番組の情報に基づいて、図１で説
明したプログラムメモリに記憶されている手順に従い、字幕の設定、音声・映像信号の設
定、番組延長の追従設定などの設定項目とともに、録画した番組を録画終了後に視聴する
テレビがワイドテレビ（１６：９）か、標準テレビ（４：３）を設定する設定項目を表示
する。録画した番組を録画終了後に視聴するテレビがワイドテレビ（１６：９）か、標準
テレビ（４：３）を設定する設定項目を表示する画面については後に図５で説明する。続
いて符号ＳＴ４を付したステップへ進む。
【００３２】
ステップＳＴ４は、ステップＳＴ３で設定されたテレビ形状が、図１で説明した番組予
約メモリ３６ｂに、番組情報とともに記憶される。続いて符号ＳＴ５を付したステップへ
進む。
【００３３】
ステップＳＴ５は、予約された番組の放送が開始されるステップである。続いて符号Ｓ
Ｔ６を付したステップへ進む。
【００３４】
ステップＳＴ6は、番組予約メモリに記憶されているテレビ形状は何かを判断するステ
ップである。番組予約メモリに記憶されたテレビ形状を読み出し、読み出されたテレビ形
状がワイドテレビ（１６：９）と判断された場合は、ステップＳＴ７ａに進む。読み出さ
れたテレビ形状が標準テレビ（４：３）と判断された場合は、ステップＳＴ７ｂに進む。
【００３５】
ステップＳＴ７ａは、受信した番組の映像信号形式に基づいて、図３に示す処理をＣＰ
Ｕ３３から表示制御器３１に設定するステップである。続いて符号ＳＴ８を付したステッ
プへ進む。
【００３６】
ステップＳＴ７ｂは、受信した番組の映像信号形式に基づいて、図４に示す処理をＣＰ
Ｕ３３から表示制御器３１に設定するステップである。続いて符号ＳＴ８を付したステッ
プへ進む。
【００３７】
ステップＳＴ８は、ステップＳＴ７ａ、ステップＳＴ７ｂでＣＰＵ３３により指示され
た設定に基づいて、表示制御器３１を用いてＭＰＥＧデコーダ２７より出力される信号を
処理し、ＮＴＳＣエンコーダ４５に出力し、録画用出力端子４８ａを介してビデオ１４で
録画するステップである。続いて符号ＳＴ９を付したステップへ進む。
【００３８】
ステップＳＴ９は、終了ステップであり、ここでの処理は終了する。
【００３９】
図３はこの発明の実施の形態に係るデジタル放送受信システムの録画出力端子から出力
される映像信号を示す図である。
【００４０】
すなわち、図３に示す図は、図２のステップＳＴ７ａに示す処理に基づき録画出力端子
４８ａから出力される映像信号を示したものである。
【００４１】
符号８０ａ、符号８３ａ、符号８６ａは、放送で送られてくる信号を示している。符号
８１ａ、符号８４ａ、符号８７ａは、放送で送られてきた信号を表示制御器３１で処理し
てＮＴＳＣエンコーダを介して録画用出力端子４８ａから出力される信号を示している。
【００４２】
また、符号８２ａ、符号８５ａ、符号８８ａは、録画用出力端子４８ａの信号をワイド
テレビで視聴した場合を示している。この図の場合は、録画した番組をワイドテレビで視
聴することを想定しているため、符号８０ａの信号を受信した場合は、録画用信号として
は符号８１ａに示されるように、１６：９の信号を水平方向に圧縮して４：３のアスペク
ト比に変換したスクィーズ信号として出力し、このスクィーズ信号をワイドテレビで視聴
するときに、テレビ側の偏向回路処理により水平方向に伸張することにより、正しい画角
で視聴が可能となる。
【００４３】
符号８３ａの信号（レターボックス信号）を受信した場合は、録画用信号としては符号
８４ａに示されるように、上下の黒帯をカットが行われる。この時、カット後の映像のア
スペクト比は１６：９となっているため、水平方向に圧縮して４：３のアスペクト比に変
換したスクィーズ信号として出力され、このスクィーズ信号をワイドテレビで視聴すると
きに、テレビ側の偏向回路処理により水平方向に伸張することにより、正しい画角で視聴
が可能となる。
【００４４】
符号８６ａの信号（サイドパネル信号）を受信した場合は、録画用信号としては符号８
７ａに示されるように、何も処理を行わずそのまま出力することにより、正しい画角で視
聴が可能となる。
【００４５】
図４は、この発明の実施の形態に係るデジタル放送受信システムの録画出力端子から出
力される映像信号を示す図である。すなわち、図２のステップＳＴ７ｂに示す処理に基づ
き録画出力端子４８ａから出力される映像信号を示したものである。
【００４６】
符号８０ａ、符号８３ａ、符号８６ａは、図３の説明と同様に、放送で送られてくる信
号を表しており、符号８１ｂ、符号８４ｂ、符号８７ｂは、放送で送られてきた信号を表
示制御器３１で処理してＮＴＳＣエンコーダを介して録画用出力端子４８ａから出力され
る信号を表している。
【００４７】
また、符号８２ｂ、符号８５ｂ、符号８８ｂは、録画用出力端子４８ａの信号を通常の
テレビ（４：３）で視聴した場合を示している。この図の場合は、録画した番組は、通常
のテレビ（４：３）で視聴することを想定しているため、符号８０ａの信号を受信した場
合は、録画用信号としては符号８１ｂに示されるように、１６：９の信号の映像部分のア
スペクト比はそのままに、映像の上下に黒帯を付加し、画面全体としてはアスペクト比が
４：３となるような処理（レターボックス信号）として出力される。したがって、この信
号をそのまま通常のテレビ（４：３）で視聴すれば正しい画角で視聴が可能となる。
【００４８】
符号８３ａの信号（レターボックス信号）を受信した場合は、録画用信号としては符号
８４ｂに示されるように、何も処理を行わずそのまま出力することにより、正しい画角で
視聴が可能となる。
【００４９】
符号８６ａの信号（サイドパネル信号）を受信した場合は、録画用信号としては符号８
７ｂに示されるように、左右の黒帯（サイドパネル）をカットが行われる。この時、カッ
ト後の映像のアスペクト比は４：３となっているため、通常のテレビ（４：３）で視聴し
た場合に正しい画角で視聴が可能となる。
【００５０】
図５はこの発明の実施の形態に係るデジタル放送受信システムで録画した番組を視聴す
るテレビ形状を設定する設定画面を示す図である。
【００５１】
上記のように、録画した番組を視聴するテレビ形状を選択する画面が表示され、ユーザ
によって設定される。
【００５２】
上記のように構成することによって、録画された番組を視聴するモニタの形状を考慮し
て映像信号を出力することが可能となる。このため、ユーザの番組視聴を良好に行うこと
が可能となる。このため、ユーザ操作をより容易にし、使いやすい画像表示装置および電
子番組表表示装置を提供することができる。
【００５３】
なお、この発明は上記した実施の形態そのままに限定されるものではなく、実施段階で
はその要旨を逸脱しない範囲で構成要素を種々変形して具体化することができる。また、
上記した実施の形態に開示されている複数の構成要素を適宜に組み合わせることにより、
種々の発明を形成することができる。例えば、実施の形態に示される全構成要素から幾つ
かの構成要素を削除してもよいものである。さらに、異なる実施の形態に係る構成要素を
適宜組み合わせてもよいものである。
【図面の簡単な説明】
【００５４】
【図１】この発明の実施の形態に係るデジタル放送受信システムの概略構成を示すブロック図。
【図２】この発明の実施の形態に係るデジタル放送受信システムの動作を説明するフローチャート。
【図３】この発明の実施の形態に係るデジタル放送受信システムの録画出力端子から出力される映像信号を示す図。
【図４】この発明の実施の形態に係るデジタル放送受信システムの録画出力端子から出力される映像信号を示す図。
【図５】この発明の実施の形態に係るデジタル放送受信システムで録画した番組を視聴するテレビ形状を設定する設定画面を示す図。
【符号の説明】
【００５５】
１２…テレビ受信機、１１ｂ…アンテナ、２１ｂ…チューナ、８ＰＳＫ復調器…２２ｂ
、エラー訂正器…２３、デスクランブラ…２４、パケット分離器…２５、パケット分離メ
モリ…２６、ＭＰＥＧデコーダ…２７、ＭＰＥＧメモリ…２８、ビデオ信号デジタル／ア
ナログ変換器…２９、オーディオ信号デジタル／アナログ変換器…３０、映像処理プロセ
ッサ…４９、モニタ…１３、オーディオＡＭＰ…４６、表示制御器…３１、ＮＴＳＣエン
コーダ…４５、バス回線…３２、ＣＰＵ…３３、プログラムメモリ…３４、ワークメモリ
…３５、データメモリ…３６a、番組予約メモリ…３６ｂ、漢字ＲＯＭ…３７、入出力制
御…３８、ＩＣカード制御…３９、モデム…４０、リモートコントロール・表示パネル…
４１、電話回線…４２。
【図１】
2006140760.tif 000003
【図２】
2006140760.tif 000004
【図３】
2006140760.tif 000005
【図４】
2006140760.tif 000006
【図５】
2006140760.tif 000007